(57)【要約】【課題】   画像通信網で画像端末を用いて呼通話を行うにあたり、呼連結をする前に、発信者のリアルタイムな画像情報を着信側画像端末に提供し、着信者が自分の端末に表示された発信者のリアルタイムな画像情報を見て、呼連結するか否かを選択できるようにする。【解決手段】  本発明に係る画像通信網における呼処理装置及びその方法は、着信側画像端末と発信側画像端末との間に呼連結をするにあたり、すなわち、呼連結を試みて着信側画像端末にリング信号が発生したときに、発信者の動画または停止画像を撮影し、この撮影された発信者の動画または停止画像のデータをリアルタイムに着信側画像端末に送信し、着信側画像端末に発信者の動画または停止画像を表示する構成とする。これにより、着信者は、表示された動画または停止画像を見て、実際の電話発信者を容易に把握することができる。【選択図】  図５
2006074772.tif 000002
【特許請求の範囲】
【請求項１】
画像通信網において呼を処理する方法であって、
第１画像端末から、当該第１画像端末の呼設定関連情報を含む第１メッセージを、前記画像通信網を介して第２画像端末に送信するステップと、
前記第２画像端末から、当該第２画像端末の呼設定関連情報を含む第２メッセージを、前記画像通信網を介して前記第１画像端末に送信するステップと、
前記第１画像端末と前記第２画像端末との間で呼連結をする前に、前記第１画像端末のユーザについてのリアルタイムな画像データを、前記第２画像端末の呼関連情報に基づいて、前記画像通信網を介して前記第２画像端末に送信するステップと、を含むことを特徴とする画像通信網における呼処理方法。
【請求項２】
前記第２画像端末に送信された画像データを、前記第２画像端末に表示するステップと、
前記第２画像端末のユーザによる呼連結をするか否かの選択に従って、前記第１画像端末と前記第２画像端末との呼連結を行うか、あるいは呼連結解除を行うステップと、をさらに含むことを特徴とする請求項１に記載の画像通信網における呼処理方法。
【請求項３】
前記第１画像端末から前記第２画像端末に送信する第１メッセージは、第１画像端末の音声用及び画像用のＩＰアドレス情報、ポート情報及び、コーデックタイプ情報のうちの少なくとも１つ以上の情報を含む呼設定メッセージ（Call Setup Message）であり、
前記第２画像端末から前記第１画像端末に送信する第２メッセージは、第２画像端末の音声用及び画像用のＩＰアドレス情報、ポート情報及び、コーデックタイプ情報のうちの少なくとも１つ以上の情報を含む呼進行メッセージ（Call Proceeding Message）であることを特徴とする請求項１に記載の画像通信網における呼処理方法。
【請求項４】
前記第１画像端末と前記第２画像端末との間のメッセージ送受信に使用するプロトコルは、Ｈ．３２３，ＳＩＰ，ＭＧＣＰ，ＭＥＧＡＣＯのうちいずれか１つのプロトコルを用いることを特徴とする請求項１に記載の画像通信網における呼処理方法。
【請求項５】
画像通信網における着信側画像通信端末の呼を処理する方法であって、
発信側画像通信端末の呼設定関連情報を含む第１メッセージを、画像通信網を介して受信するステップと、
当該着信側画像端末の呼設定関連情報を含む第２メッセージを、前記画像通信網を介して前記発信側画像通信端末に送信するステップと、
前記発信側画像端末との間で呼連結をする前に、前記画像通信網を介して前記発信側画像通信端末のユーザについてのリアルタイムな画像情報を受信し、表示するステップと、を含むことを特徴とする画像通信端末における呼処理方法。
【請求項６】
前記表示されたリアルタイムな画像情報に基づいて、着信側画像端末のユーザが呼連結するか否かを選択するステップをさらに含むことを特徴とする請求項５に記載の画像通信端末における呼処理方法。
【請求項７】
前記発信側画像通信端末から受信される呼関連情報を含む第１メッセージは、発信側画像通信端末の音声用及び画像用のＩＰアドレス情報、ポート情報、コーデックタイプ情報のうちの少なくとも１つ以上の情報を含む呼設定メッセージであり、
前記発信側画像通信端末に送信する第２メッセージは、当該着信側画像端末の音声用及び画像用のＩＰアドレス情報、ポート情報、コーデックタイプ情報のうちの少なくとも１つ以上の情報を含む呼進行メッセージであることを特徴とする請求項５に記載の画像通信端末における呼処理方法。
【請求項８】
画像通信網における発信側画像通信端末の呼を処理する方法であって、
当該発信側画像通信端末の呼設定関連情報を含む第１メッセージを、前記画像通信網を介して着信側画像通信端末に送信するステップと、
前記着信側画像通信端末の呼設定関連情報を含む第２メッセージを、前記画像通信網を介して受信するステップと、
前記着信側画像通信端末との間で呼連結される前に、前記受信した着信側画像通信端末の呼設定関連情報に基づいて、当該発信側画像通信端末のユーザについてのリアルタイムな画像データを前記画像通信網を介して前記着信側画像通信端末に送信するステップと、を含むことを特徴とする画像通信端末における呼処理方法。
【請求項９】
前記着信側画像通信端末に送信する呼設定関連情報を含む第１メッセージは、発信側画像通信端末の音声用及び画像用のＩＰアドレス情報、ポート情報、コーデックタイプ情報のうちの少なくとも１つ以上の情報を含む呼設定メッセージであり、
前記着信側画像通信端末から受信する呼設定関連情報を含む第２メッセージは、着信側画像通信端末の音声用及び画像用のＩＰアドレス情報、ポート情報、コーデックタイプ情報のうちの少なくとも１つ以上の情報を含む呼進行メッセージであることを特徴とする請求項８に記載の画像通信端末における呼処理方法。
【請求項１０】
画像通信網のサーバから発信側画像通信端末の呼設定関連情報を含む第１メッセージを受信し、当該着信側画像通信端末の呼設定関連情報を含む第２メッセージを前記サーバを介して発信側画像通信端末に送信し、この第２メッセージの応答として、発信側画像通信端末の発信者についてのリアルタイムな画像データ受信する送受信部と、
呼設定及び呼連結を制御する制御部と、を備え、
前記制御部は、前記発信側画像通信端末との間で呼連結をする前に、前記サーバを介して受信する前記発信側画像通信端末の発信者についてのリアルタイムな画像データを表示部に表示するように制御することを特徴とする画像通信端末。  
【請求項１１】
前記制御部は、前記表示部に表示された前記リアルタイムな発信者についての画像データに基づく、着信者による呼連結をするか否かの選択信号をキー入力部から受け取り、この選択信号に従って前記発信側画像通信端末との呼連結を行うか、あるいは呼連結解除を行うように制御することを特徴とする請求項１０に記載の画像通信端末。
【請求項１２】
前記発信側画像通信端末から受信される呼関連情報を含む第１メッセージは、当該発信側画像通信端末の音声用及び画像用のＩＰアドレス情報、ポート情報、コーデックタイプ情報のうちの少なくとも１つ以上の情報を含む呼設定メッセージであり、
前記発信側画像通信端末に送信する第２メッセージは、当該着信側画像通信端末の音声用及び画像用のＩＰアドレス情報、ポート情報、コーデックタイプ情報のうちの少なくとも１つ以上の情報を含む呼進行メッセージであることを特徴とする請求項１０に記載の画像通信端末。
【請求項１３】
前記発信側画像通信端末との間のメッセージ送受信に使用するプロトコルは、Ｈ．３２３，ＳＩＰ，ＭＧＣＰ，ＭＥＧＡＣＯのうちのいずれか１つのプロトコルを用いることを特徴とする請求項１０に記載の画像通信端末。
【請求項１４】
前記画像通信端末は、
画像データを処理する画像処理部と、
音声データを処理する音声処理部と、
前記リアルタイムな画像データを生成するカメラと、
音声データを入出力するための音声入出力部と、
前記画像処理部で処理された画像情報を表示するための表示部と、
ユーザ入力のためのキー入力部と、をさらに備えることを特徴とする請求項１０に記載の画像通信端末。
【発明の詳細な説明】
【技術分野】
【０００１】
本発明は、画像通信網（video communication network）における呼（call）処理装置及びその方法に関し、特に、画像端末の使用に際して、発信者の実際の画像情報をリアルタイムで表示することによって、受信者が、表示された発信者の画像情報を見て、呼連結をするか否かを選択できるようにした画像通信網における呼処理処置及びその方法に関する。
【背景技術】
【０００２】
一般に、有線通信システム及び無線通信システムでは、ユーザの選択によって、呼連結時に発信者表示サービス（Ｃａｌｌｅｒ  ＩＤ：以下、ＣＩＤという）を端末に提供する。すなわち、発信者表示サービスに加入した端末が呼を受信したとき、発信側端末の電話番号が受信側端末に表示される。したがって、受信側端末ユーザは、端末に表示された発信者の電話番号を確認した後、呼連結をするか否かを決めることができる。
【０００３】
しかしながら、このようなＣＩＤサービスでは、受信側端末ユーザが、端末に表示された発信端末の電話番号だけに基づいて呼連結するか否かを決めるので、その発信端末の電話番号がだれの電話番号なのか知らない場合、その発信者端末が所有者でない他のユーザにより使用された場合、または発信者がＣＩＤ機能を妨げた場合などには、受信者が実際の発信者を正確に認識できないという問題点がある。
【０００４】
つまり、ＣＩＤまたは発信者の名前に基づいて発信者を判断するようになるので、他人の端末を用いて電話をかけると、受信者は、発信者表示情報を見るだけでは、発信者を正確に認識することができない。また、いろいろな人が共用する端末である場合、受信者は、端末または概略的な位置は認識できるが、正確に発信者を認識できないという問題点がある。
【０００５】
前述のような問題点を解決するための、特許文献１（韓国特許公開２００３−１２７４５号公報）に開示された画像端末におけるＣＩＤ表示方法を図１に示す。
【０００６】
前記ＣＩＤ表示方法について、図１を参照して簡単に説明する。図１は、従来技術に係る画像端末におけるＣＩＤ表示方法の動作フローチャートである。
【０００７】
図１に示すように、まず、自分の端末に記憶された電話番号に相当するユーザの写真情報（静止画像）を、前記電話番号に対応するように各々記憶する（ステップＳ１１）。
【０００８】
各電話番号に対応するユーザの写真情報が記憶された状態で、呼が受信された場合（ステップＳ１２）、処理装置（processor）は受信された呼からＣＩＤを読み出し（ステップＳ１３）、読み出したＣＩＤと同じ電話番号情報が記憶されているか否かを比較判断する（ステップＳ１４）。
【０００９】
比較判断の結果、ＣＩＤと同じ電話番号情報が記憶されている場合、その電話番号に対応する写真情報を端末に表示する（ステップＳ１６）。
【００１０】
また、ＣＩＤと同じ電話番号情報が記憶されていない場合には、ＣＩＤだけを端末に表示する（ステップＳ１５）。
【００１１】
しかしながら、このようなＣＩＤ表示方法は、電話番号に対応する発信者写真情報を登録した発信者のみについて適用できるだけであり、受信されたＣＩＤと同じ電話番号情報が着信端末に記憶されていない場合、電話番号情報は記憶されているが当該電話番号に対応する発信者写真情報が登録されていない場合には、適用できないという問題点を有する。
【００１２】
さらに、前述のような問題点を解決するために、特許文献２（韓国特許出願番号１０−２００１−００５６２６４号）には、画像電話端末機への発信者画像の提供装置及びその方法、が開示されている。
【００１３】
前記特許文献２に開示された内容について、図２を参照して簡単に説明する。図２は、従来技術に係る画像端末における、発信者画像提供方法の動作フローチャートである。
【００１４】
図２に示すように、発信者は、自分の端末に自分の写真情報を予め記憶しておく（ステップＳ２１）。
【００１５】
自分の写真情報を端末に記憶した状態で、当該発信者が呼連結要求信号によって着信端末に呼連結を要求する場合（ステップＳ２２）、呼連結要求信号、すなわち発呼時に前記記憶された自分の写真情報を呼連結信号に付加して受信端末に転送する（ステップＳ２３）。
【００１６】
そして、受信端末は、受信した発信者の写真情報を表示し、表示された写真情報を確認した後、呼連結するか否かを選択する。すなわち、発信端末は、発呼時において、予め当該発信端末に記憶されている発信者写真情報を添付して送信する。
【００１７】
しかしながら、このような方法も、発信端末で意図的に写真情報を添付しないか、或いは、端末所有者でない他人が当該端末を用いて発信する場合には、受信者は受信端末に表示される写真情報を通じて正確に発信者を把握できないという問題点がある。
【００１８】
【特許文献１】韓国特許公開２００３−１２７４５号公報
【特許文献２】韓国特許出願１０−２００１−００５６２６４号明細書
【発明の開示】
【発明が解決しようとする課題】
【００１９】
従って、本発明は、前述のような従来技術に係る問題点を解決するためになされたもので、本発明の目的は、画像通信網で画像通信端末を用いて呼通話を行うにあたり、呼連結をする前に発信者のリアルタイムな画像情報を着信側画像通信端末に提供することによって、着信者が現在呼連結を試みている実際の発信者がだれなのかを容易に確認することができ、これにより表示された発信者のリアルタイムな画像情報を見て呼連結するか否かを選択できるようにした画像通信網における呼処理方法及び画像通信端末を提供することにある。
【課題を解決するための手段】
【００２０】
前記目的を達成するために、本発明の一態様に係る画像通信網における呼処理方法は、第１画像端末から、当該第１画像端末の呼設定関連情報を含む第１メッセージを、前記画像通信網を介して第２画像端末に送信するステップと、前記第２画像端末から、当該第２画像端末の呼設定関連情報を含む第２メッセージを、前記画像通信網を介して前記第１画像端末に送信するステップと、前記第１画像端末と前記第２画像端末との間で呼連結をする前に、前記第１画像端末のユーザについてのリアルタイムな画像データを、前記第２画像端末の呼関連情報に基づいて、前記画像通信網を介して前記第２画像端末に送信するステップと、を含むことができる。
【００２１】
また、前記呼処理方法は、前記第２画像端末に送信された画像データを、前記第２画像端末に表示するステップと、前記第２画像端末のユーザによる呼連結をするか否かの選択に従って、前記第１画像端末と前記第２画像端末との呼連結を行うか、あるいは呼連結解除を行うステップと、をさらに含む。
【００２２】
前記第１画像端末から前記第２画像端末に送信する第１メッセージは、第１画像端末の音声用及び画像用のＩＰアドレス情報、ポート情報、コーデックタイプ情報のうちの少なくとも１つ以上の情報を含む呼設定メッセージ（Call Setup Message）であり、前記第２画像端末から前記第１画像端末に送信する第２メッセージは、第２画像端末の音声用及び画像用のＩＰアドレス情報、ポート情報、コーデックタイプ情報のうちの少なくとも１つ以上の情報を含む呼進行メッセージ（Call Proceeding Message）である。
【００２３】
前記第１画像端末と前記第２画像端末との間のメッセージ送受信に使用するプロトコルは、Ｈ．３２３，ＳＩＰ，ＭＧＣＰ，ＭＥＧＡＣＯのうちいずれか１つのプロトコルを用いることができる。
【００２４】
また、本発明の他の態様に係る画像通信端末における呼処理方法は、画像通信網における着信側画像通信端末の呼を処理する方法であって、発信側画像通信端末の呼設定関連情報を含む第１メッセージを、画像通信網を介して受信するステップと、当該着信側画像端末の呼設定関連情報を含む第２メッセージを、前記画像通信網を介して前記発信側画像通信端末に送信するステップと、前記発信側画像端末との間で呼連結をする前に、前記画像通信網を介して前記発信側画像通信端末のユーザについてのリアルタイムな画像情報を受信し、表示するステップと、を含むことができる。
【００２５】
また、前記呼処理方法は、前記表示されたリアルタイムな画像情報に基づいて、着信側画像端末のユーザが呼連結するか否かを選択するステップをさらに含む。
【００２６】
前記発信側画像通信端末から受信される呼関連情報を含む第１メッセージは、発信側画像通信端末の音声用及び画像用のＩＰアドレス情報、ポート情報、コーデックタイプ情報のうちの少なくとも１つ以上の情報を含む呼設定メッセージであり、前記発信側画像通信端末に送信する第２メッセージは、当該着信側画像端末の音声用及び画像用のＩＰアドレス情報、ポート情報及び、コーデックタイプ情報のうちの少なくとも１つ以上の情報を含む呼進行メッセージである。
【００２７】
また、本発明のさらに他の態様に係る画像通信端末における呼処理方法は、画像通信網における発信側画像通信端末の呼を処理する方法であって、当該発信側画像通信端末の呼設定関連情報を含む第１メッセージを、前記画像通信網を介して着信側画像通信端末に送信するステップと、前記着信側画像通信端末の呼設定関連情報を含む第２メッセージを、前記画像通信網を介して受信するステップと、前記着信側画像通信端末との間で呼連結される前に、前記受信した着信側画像通信端末の呼設定関連情報に基づいて、当該発信側画像通信端末のユーザについてのリアルタイムな画像データを前記画像通信網を介して前記着信側画像通信端末に送信するステップと、を含むことができる。
【００２８】
前記着信側画像通信端末に送信する呼設定関連情報を含む第１メッセージは、発信側画像通信端末の音声用及び画像用のＩＰアドレス情報、ポート情報及び、コーデックタイプ情報のうちの少なくとも１つ以上の情報を含む呼設定メッセージであり、前記着信側画像通信端末から受信する呼設定関連情報を含む第２メッセージは、着信側画像通信端末の音声用及び画像用のＩＰアドレス情報、ポート情報、コーデックタイプ情報のうちの少なくとも１つ以上の情報を含む呼進行メッセージである。
【００２９】
一方、本発明に係る画像通信端末は、画像通信網のサーバから発信側画像通信端末の呼設定関連情報を含む第１メッセージを受信し、当該着信側画像通信端末の呼設定関連情報を含む第２メッセージを前記サーバを介して発信側画像通信端末に送信し、この第２メッセージの応答として、発信側画像通信端末の発信者についてのリアルタイムな画像データ受信する送受信部と、呼設定及び呼連結を制御する制御部と、を備え、前記制御部は、前記発信側画像通信端末との間で呼連結をする前に、前記サーバを介して受信する前記発信側画像通信端末の発信者についてのリアルタイムな画像データを表示部に表示するように制御する。
【００３０】
前記制御部は、前記表示部に表示された前記リアルタイムな発信者についての画像データに基づく、着信者による呼連結をするか否かの選択信号をキー入力部から受け取り、この選択信号に従って前記発信側画像通信端末との呼連結を行うか、あるいは呼連結解除を行うように制御する。
【００３１】
前記発信側画像通信端末から受信される呼関連情報を含む第１メッセージは、当該発信側画像通信端末の音声用及び画像用のＩＰアドレス情報、ポート情報、コーデックタイプ情報のうちの少なくとも１つ以上の情報を含む呼設定メッセージであり、前記発信側画像通信端末に送信する第２メッセージは、当該着信側画像通信端末の音声用及び画像用のＩＰアドレス情報、ポート情報、コーデックタイプ情報のうちの少なくとも１つ以上の情報を含む呼進行メッセージである。
【００３２】
前記発信側画像通信端末との間のメッセージ送受信に使用するプロトコルは、Ｈ．３２３，ＳＩＰ，ＭＧＣＰ，ＭＥＧＡＣＯのうちのいずれか１つのプロトコルを用いる。
【発明の効果】
【００３３】
本発明に係る画像通信網における呼処理装置及びその方法によれば、着信側画像通信端末と発信側画像通信端末との間に呼連結をするにあたり、すなわち、呼連結を試みて着信側画像通信端末にリング信号が発生したときに、発信者の動画または停止画像を撮影し、この撮影された発信者の動画または停止画像のデータをリアルタイムに着信側画像端末に転送し、着信側画像端末に発信者の動画または停止画像を表示することによって、着信者は表示された発信者の動画または停止画像を見て実際の通話発信者を容易に把握することができ、これに基づいて着信者が呼連結するか否かを選択することができるようにして、ユーザの便宜性を高めることができる、という効果を奏する。
【発明を実施するための最良の形態】
【００３４】
以下、添付図面を参照して、本発明の好適な実施形態に係る画像通信網における呼処理装置及びその方法を詳細に説明する。
【００３５】
現在、通信網は、既存の狭帯域音声中心の通信網から広帯域音声及びデータ通信網に発展しており、このような通信網の発展に伴って、有線通信網及び無線通信網のいずれにおいても、相手方の画像を見ながら通話できる画像通信が実現され、構築されている。
【００３６】
本発明は、このような画像通信が可能な画像通信網で実現することができるものであって、本明細書に用いられる「画像通信網」という用語は、制限的な意味でなく、有線通信網及び無線通信網の両方を含む画像通信が具現されることができる全ての通信網を含む用語として解釈すべきである。
【００３７】
また、本明細書に用いられる「画像通信端末」または「画像端末」という用語は、制限的な意味でなく、有線端末及び無線端末を含む画像情報を表示できる全ての端末を含む用語として解釈すべきである。
【００３８】
図３は、本発明に係る画像通信網の連結構成を概略的に示す図である。
【００３９】
図３に示すように、画像通信網は、少なくとも１つ以上の画像端末１０、１１と、サーバ２０とを含む。ここで、各画像端末１０、１１は、画像通信網１２を介して各々サーバ２０に連結されている。そして、画像通信網１２は、例えばモバイル通信網及びインターネットを含む有線網及び無線網とすることができる。
【００４０】
また、サーバ２０は、呼連結制御、加入者管理などを遂行する装備を意味する。
【００４１】
まず、本発明の動作を説明するにあたり、画像端末１０を発信側画像端末と仮定し、また画像端末１１を着信側画像端末と仮定してその動作を説明する。
【００４２】
まず、発信側画像端末１０が、着信側画像端末１１との呼連結を要求するために、第１メッセージである呼設定メッセージ（Call Setup Message）を画像通信網１２を介してサーバ２０に送信する。
【００４３】
前記呼設定メッセージは、呼に関連した情報（call-related data）、すなわち発信側画像端末１０の呼設定用ＩＤアドレス、音声用ＩＰアドレス及びポート情報、画像用ＩＰアドレス及びポート情報、並びにコーデック情報を含む。前記呼設定メッセージは、これら情報のうちの少なくとも一つ以上を含んでいればよい。
【００４４】
サーバ２０は、画像通信網１２を介して発信側画像端末１０から送信された前記呼設定メッセージを受信した後、画像通信網１２を介して着信側画像端末１１に呼設定メッセージを送信する。
【００４５】
すると、着信側画像端末１１は、画像通信網１２を介してサーバ２０から受信した発信側画像端末１０の呼設定メッセージに応答して、第２メッセージである呼進行メッセージ（Call Proceeding Message）を画像通信網１２を介してサーバ２０に送信する。ここで、前記呼進行メッセージは、着信側画像端末１１の音声用ＩＰアドレス及びポート情報、画像用ＩＰアドレス及びポート情報、並びにコーデック情報を含む。前記呼進行メッセージは、これら情報のうちの少なくとも一つ以上を含んでいればよい。
【００４６】
サーバ２０は、着信側画像端末１１から受信した呼進行メッセージを、画像通信網１２を介して発信側画像端末１０に送信する。
【００４７】
したがって、発信側画像端末１０及び着信側画像端末１１は、いずれも相手方の端末から送信された呼設定メッセージ及び呼進行メッセージに含まれる音声用ＩＰアドレス及びポート情報、画像用ＩＰアドレス及びポート情報、すなわち相手方の端末に画像データ及び音声データを送信するのに必要な情報を確保するようになる。
【００４８】
上記の着信側画像端末１１から発信側画像端末１０に送信する呼進行メッセージは、現在呼が進行していることを知らせるメッセージであって、呼状態（Call State）には何らの影響を与えない。
【００４９】
前記呼進行メッセージを送信した後、着信側画像端末１１は、警報メッセージ（Alerting Message）を画像通信網１２を介してサーバ２０に送信し、そして、サーバ２０は、着信側画像端末１１からの警報メッセージを、画像通信網１２を介して発信側画像端末１０に送信する。
【００５０】
ここで、前記警報メッセージに基づき、発信側画像端末１０ではリングバックトーン信号（Ring Back Tone Signal）が発生し、着信側画像端末１１ではリング信号（Ring Signal）が発生する。このとき、着信側画像端末１１がＣＩＤ表示サービスに加入した端末である場合には、着信側画像端末１１の表示部には、発信者ＩＤまたは発信者の名前が表示される。
【００５１】
一方、発信側画像端末１０は、上述したように着信側画像端末１１から送信された音声用及び画像用ＩＰアドレス情報、ポート情報、並びにコーデック情報を取得しているので、発信者を撮影し、撮影された発信者画像データを、当該ＩＰアドレス及びポート情報を用いてリアルタイムに画像通信網１２を介して着信側画像端末１１に送信する。
【００５２】
したがって、着信側のユーザは、着信側画像端末１１に表示されたＣＩＤ及び発信者画像情報を見て、発信者との呼連結をするか又は呼連結をしない呼連結解除を選択的に行うことができる。
【００５３】
そして、着信者の選択により、着信側画像端末１１がフックオフ（Hook Off）の状態にされると、着信側画像端末１１が連結メッセージ（Connect Message）を、サーバ２０を介して発信側画像端末１０に送信することにより、発信側画像端末１０及び着信側画像端末１１との間で音声及び画像データを互いに送受信して、通話がなされるようになる。
【００５４】
続いて、前記画像端末１０、１１の内部構成及びその具体的な動作について図４を参照して説明する。
【００５５】
図４は、本発明に係る画像端末の内部構成を示すブロック図である。
【００５６】
図４に示すように、画像端末は、送受信部１００、ＣＰＵ１１０、画像処理部１２０、表示部（display unit）１３０、カメラ１４０、音声処理部１５０、音声入出力部１６０および、キー入力部１７０を備える。
【００５７】
カメラ１４０は、発信者を撮影した画像を画像処理部１２０に供給し、また、キー入力部１７０は、端末ユーザによる呼連結のためのキー入力信号をＣＰＵ１１０に供給する。
【００５８】
送受信部１００は、サーバ２０及び画像通信網１２を介して呼関連情報を含む呼連結メッセージ及び発信者の音声データ及び画像データを相手方の端末に送信すると共に、サーバ２０及び画像通信網１２を介して相手方の端末から送信される呼関連情報を含む呼連結メッセージ及び受信側端末ユーザの音声データ及び画像データを受信する。この場合、送受信部１００によって送受信される呼関連メッセージは、呼設定メッセージ又は呼進行メッセージを含み、さらに、前記呼関連メッセージに含まれる呼関連情報は、発信側及び着信側端末の各々の音声用ＩＰアドレス及びポート情報、画像用ＩＰアドレス及びポート情報、並びにコーデック情報を含む。
【００５９】
画像処理部１２０は、相手方の端末との呼連結がなされた後、カメラ１４０から供給されるユーザの画像データを、予め設定されたコーデックタイプ（圧縮プロトコル）に従って圧縮し、この圧縮データを送受信部１００に提供する。他方、送受信部１００で受信した相手方の端末ユーザ（発信者）についての圧縮された画像データを、表示部１３０で表示可能なように圧縮解除することにより、この相手方の端末ユーザの画像情報を表示部１３０に表示する。
【００６０】
音声処理部１５０は、音声入出力部１６０から供給されるユーザの音声データを、予め設定された圧縮プロトコルを用いて圧縮し、そして圧縮された音声データを送受信部１００に供給する。この圧縮音声データは、画像通信網１２を介して相手方の端末に送信される。他方、音声処理部１５０は、送受信部１００を介して受信された相手方の端末ユーザの圧縮された音声データを音声入出力部１６０で出力可能なように、予め設定されたコーデックタイプによって圧縮解除することにより、この相手方の音声データを音声入出力部１６０を介して出力する。
【００６１】
ＣＰＵ１１０は、キー入力部１７０を介して発信者による呼連結要求信号が入力されたときに、この呼連結要求信号に基づいて発信側画像端末の呼関連情報を含む呼設定メッセージを生成し、そして、当該呼設定メッセージを送受信部１００に提供する。
【００６２】
また、ＣＰＵ１１０は、相手方の端末に送信した呼設定メッセージに応答して送信された呼進行メッセージを送受信部１００を介して受信し、他方、相手方の端末から画像通信網１２を介して送信された呼設定メッセージが受信されれば、受信した呼設定メッセージに応答して自分の呼関連情報を含む呼進行メッセージを生成し、そして送受信部１００を介して相手方の端末に当該呼進行メッセージを送信する。
【００６３】
ＣＰＵ１１０は、端末間のメッセージ送受信プロトコルとして、Ｈ．３２３，ＳＩＰ，ＭＧＣＰ，ＭＥＧＡＣＯのプロトコルのうち少なくとも１つのプロトコルを選択的に用いて、メッセージを送受信することができる。
【００６４】
上述の構成を有する画像端末における呼処理動作について、以下に具体的に説明する。
【００６５】
図４に示された画像端末が発信側画像端末であると仮定し、この発信側画像端末の動作を説明する。
【００６６】
まず、発信者（端末ユーザ）がキー入力部１７０を介して呼連結要求をした場合、ＣＰＵ１１０は、この呼連結要求に従って自分の呼関連情報を含む呼設定メッセージを生成し、生成した前記呼設定メッセージを送受信部１００に供給する。そして、送受信部１００は、ＣＰＵ１１０から供給される前記呼設定メッセージを、画像通信網１２を介して着信側画像端末に送信する。
【００６７】
着信側画像端末は、受信した呼設定メッセージに応答して、当該着信側画像端末の呼関連情報を含む呼進行メッセージを、画像通信網１２を介して発信側画像端末に送信する。
【００６８】
発信側画像端末の送受信部１００は、画像通信網１２を介して着信側画像端末から送信される呼進行メッセージを受信し、この呼進行メッセージに含まれる着信側画像端末の呼関連情報を記憶管理する。
【００６９】
一方、着信側画像端末は、発信側画像端末に呼進行メッセージを送信した後、警報メッセージを画像通信網１２を介して発信側画像端末に送信する。警報メッセージは、発信画像端末でリングバックトーン信号を発生及び／又は着信画像端末でリング信号を発生させるための機能を有している。
【００７０】
このように、発信側画像端末にリングバックトーン信号が発生し、着信側画像端末にリング信号が発生した状態で、発信側画像端末のＣＰＵ１１０は、カメラ１４０を作動させて発信者を撮影するように制御し、そしてカメラ１４０で撮影された発信者の画像データを画像処理部１２０に提供するように制御する。
【００７１】
画像処理部１２０は、カメラ１４０から供給される発信者の画像データを、予め設定されたコーデックタイプ、すなわち予め設定された圧縮プロトコルに従って圧縮し、この圧縮された発信者の画像データを送受信部１００に提供する。
【００７２】
そして、送受信部１００は、画像処理部１２０から提供される圧縮された発信者の画像データを、画像通信網１２を介して着信側画像端末に送信する。
【００７３】
一方、着信側画像端末は、画像通信網１２を介して発信側画像端末から送信される発信者の画像情報を受信し、着信者（端末ユーザ）が呼連結するか否かを選択することができるように、発信者の画像情報を表示する。
【００７４】
仮りに、着信者が、表示された発信者の画像情報を確認し、呼連結することを選択した場合には、着信側画像端末と発信側画像端末との間で呼連結がなされ、これにより発信者と着信者との間で音声及び画像通話が可能になる。
【００７５】
続いて、図４に示された画像端末が着信側画像端末である場合の呼処理動作について説明する。
【００７６】
まず、画像通信網１２を介して、発信側画像端末からの呼連結のための、当該発信側画像端末の呼関連情報を含む呼設定メッセージを送受信部１００を介して受信した場合、ＣＰＵ１１０は、この呼設定メッセージに含まれる発信側画像端末の呼関連情報を記憶管理する。
【００７７】
呼設定メッセージを受信した着信側画像端末のＣＰＵ１１０は、当該着信側画像端末の呼関連情報を含む呼進行メッセージを生成し、送受信部１００を介して発信側画像端末に当該呼進行メッセージを送信する。発信側画像端末に送信される前記呼進行メッセージに含まれる呼関連情報は、着信側画像端末の音声用ＩＰアドレス及びポート情報、画像用ＩＰアドレス及びポート情報、並びにコーデック情報を含む。
【００７８】
また、着信側画像端末のＣＰＵ１１０は、警報メッセージを生成し、画像通信網１２を介して発信側画像端末に当該警報メッセージを送信する。警報メッセージは、着信側画像端末にはリング信号を、発信側画像端末にはリングバックトーン信号を夫々発生させるように機能する。
【００７９】
このように着信側画像端末でリング信号が発生し、発信側画像端末でリングバックトーン信号が発生した状態で、発信側画像端末では発信者の画像を撮影し、さらにそれを圧縮した画像データを画像通信網１２を介して着信側画像端末に送信する。
【００８０】
したがって、着信側画像端末の送受信部１００は、画像通信網１２を介して発信側画像端末から送信される前記発信者の画像データを受信し、そして画像処理部１２０に当該画像データを提供する。
【００８１】
着信側画像端末の画像処理部１２０は、受信された発信者の圧縮画像データを、予め設定されたプロトコル、すなわち自分のコーデックタイプに従って圧縮解除し、発信者の画像情報を表示部１３０にリアルタイムに表示する。
【００８２】
このように着信側画像端末の表示部１３０に発信者の画像情報が表示されると、着信者は、表示された発信者の画像情報を確認した後、呼連結するか否かを選択する。仮りに、着信者が呼連結することを選択した場合、発信側画像端末と着信側画像端末との間で音声及び画像通話が遂行されることとなる。
【００８３】
次に、上述のような構成を有する画像端末を用いた画像通信網における呼処理方法について、図５及び図６を参照して段階的に説明する。
【００８４】
図５は、本発明に係る画像通信網における呼処理方法の、メッセージを送受信する流れを示す図である。メッセージ送受信プロトコルとして、Ｈ．３２３，ＳＩＰ，ＭＧＣＰ，ＭＥＧＡＣＯのプロトコルのうちいずれか１つのプロトコルを選択して用いて、メッセージの送受信を行うことができる。一方、図６は、図５に示された呼設定メッセージ及び呼進行メッセージのフォーマット構成を示す図である。
【００８５】
図５に示すように、まず、発信側画像端末１０は、着信側画像端末１１との呼連結をするための、“Ｃａｌｌ  ｓｅｔｕｐ  ｍｅｓｓａｇｅ（呼設定メッセージ）”を画像通信網１２を介してサーバ２０に送信する（ステップＳ１０１）。ここで、“Ｃａｌｌ  ｓｅｔｕｐ  ｍｅｓｓａｇｅ”のフォーマットは、図６に示すように、目的地呼信号アドレス（Destination Call Signal Address）、送信元呼信号アドレス（Source Call Signal Address）、送信元音声データアドレス（Source Audio Data Address）、音声コーデックタイプ（Audio Codec Type）及び、画像コーデックタイプ（Video Codec Type）の各情報を含む。すなわち、“Ｃａｌｌ  ｓｅｔｕｐ  ｍｅｓｓａｇｅ”は、発信側画像端末１０の電話番号を設定するためのＩＰアドレス、音声用ＩＰアドレス及びポート情報、画像用ＩＰアドレス及びポート情報、音声／画像コーデック情報を含む。一方、各アドレス情報には、信号及び／又はデータを受信するためのポート情報が含まれている。
【００８６】
サーバ２０は、発信側画像端末１０から送信された“Ｃａｌｌ  ｓｅｔｕｐ  ｍｅｓｓａｇｅ”を受信し、この受信した“Ｃａｌｌ  ｓｅｔｕｐ  ｍｅｓｓａｇｅ”を画像通信網１２を介して着信側画像端末１１に送信する（ステップＳ１０２）。
【００８７】
サーバ２０から“Ｃａｌｌ  ｓｅｔｕｐ  ｍｅｓｓａｇｅ”を受信した着信側画像端末１１は、この受信した“Ｃａｌｌ  ｓｅｔｕｐ  ｍｅｓｓａｇｅ”に含まれる発信側画像端末１０の呼関連情報に応答して、“Ｃａｌｌ  ｐｒｏｃｅｅｄｉｎｇ  ｍｅｓｓａｇｅ（呼進行メッセージ）”をサーバ２０に送信する（ステップＳ１０３）。この場合、着信側画像端末１１からサーバ２０に送信される“Ｃａｌｌ  ｐｒｏｃｅｅｄｉｎｇ  ｍｅｓｓａｇｅ”は、前記“Ｃａｌｌ  ｓｅｔｕｐ  ｍｅｓｓａｇｅ”と同じフォーマットにすることができる。すなわち、“Ｃａｌｌ  ｓｅｔｕｐ  ｍｅｓｓａｇｅ”は、着信側画像端末１１の音声用ＩＰアドレス及びポート情報、画像用ＩＰアドレス及びポート情報、並びにコーデック情報を含む。
【００８８】
サーバ２０は、着信側画像端末１１から送信された“Ｃａｌｌ  ｐｒｏｃｅｅｄｉｎｇ  ｍｅｓｓａｇｅ”を、画像通信網１２を介して発信側画像端末１０に送信する（ステップＳ１０４）。
【００８９】
さらに、“Ｃａｌｌ  ｐｒｏｃｅｅｄｉｎｇ  ｍｅｓｓａｇｅ”を送信した着信側画像端末１１は、“Ａｌｅｒｔｉｎｇ  Ｍｅｓｓａｇｅ（警報メッセージ）”を、画像通信網１２を介してサーバ２０に送信し（ステップＳ１０５）、そして、サーバ２０は、着信側画像端末１１から送信された“Ａｌｅｒｔｉｎｇ  Ｍｅｓｓａｇｅ”を、画像通信網１２を介して発信側画像端末１０に送信する（ステップＳ１０６）。
【００９０】
ここで、“Ａｌｅｒｔｉｎｇ  Ｍｅｓｓａｇｅ”は、発信側画像端末１０でリングバックトーン信号が発生し、着信側画像端末１１でリング信号が発生するように機能する。このとき、着信側画像端末１１がＣＩＤサービスに加入した端末である場合には、当該着信側画像端末１１の表示部には、Ｃａｌｌｅｒ  ＩＤ又は発信者の名前が表示される。
【００９１】
一方、発信側画像端末１０は、着信側画像端末１１から送信された“Ａｌｅｒｔｉｎｇ  Ｍｅｓｓａｇｅ”に応答して、ＲＴＰ（Real Time Protocol）を用いて発信者の画像データを、画像通信網１２を介して着信側画像端末１１に送信する。この場合、発信側画像端末１０は、着信側画像端末１１から送信された画像用ＩＰアドレス及びポート情報を用いて、着信側画像端末１１に発信者の画像データをリアルタイムで送信する（ステップＳ１０７）。
【００９２】
したがって、着信側画像端末１１は、画像通信網１２を介して発信側画像端末１０から送信された画像データを表示し、これにより、着信者は、自分の画像端末１１に表示された発信者の画像情報を確認し、呼連結するか否かを選択する。
【００９３】
ここで、着信側画像端末１１がＣＩＤサービスに加入した端末である場合には、発信者の画像と共に、発信者の電話番号又は発信者の名前を同時に表示させることができる。
【００９４】
このように発信者のリアルタイムな画像情報が表示された状態で、着信者が発信側画像端末１０と呼連結することを選択した場合、すなわち着信側画像端末１１をフックオフした場合、着信側画像端末１１は、“Ｃｏｎｎｅｃｔ  Ｍｅｓｓａｇｅ（連結メッセージ）”を、画像通信網１２を介してサーバ２０に送信する（ステップＳ１０８）。
【００９５】
そして、サーバ２０は、着信側画像端末１１から画像通信網１２を介して送信された“Ｃｏｎｎｅｃｔ  Ｍｅｓｓａｇｅ”を、画像通信網１２を介して着信側画像端末１０に送信する（ステップＳ１０９）。
【００９６】
着信側画像端末１１と発信側画像端末１０との間に音声及び画像呼が連結された状態で、発信側画像端末１０及び着信側画像端末１１は、前記“Ｃａｌｌ  Ｓｅｔｕｐ  ｍｅｓｓａｇｅ”又は“Ｃａｌｌ  ｐｒｏｃｅｅｄｉｎｇ  ｍｅｓｓａｇｅ”を通じて受信したＩＰアドレス及びポート情報を用いて相互に自分の画像データ及び音声データを送受信して、音声及び画像通話を行う（ステップＳ１１０）。この際、呼が連結された状態で、着信側及び発信側画像端末１０、１１の各々は、音声データ及び画像データを、サーバ２０を経由せずに、画像通信網１２を介して直接送受信する。
【００９７】
なお、本発明においては、着信側画像端末１１から発信側画像端末１０に送信する当該着信側画像端末１１の呼関連情報は、“Ｃａｌｌ  ｐｒｏｃｅｅｄｉｎｇ  ｍｅｓｓａｇｅ”に含ませて発信側画像端末１０に送信する構成でなくともよく、“Ａｌｅｒｔｉｎｇ  Ｍｅｓｓａｇｅ”に含ませて発信側画像端末１０に送信することもできる。すなわち、発信側画像端末１０と着信側画像端末１１との間に呼連結がなされる前に、応答メッセージを用いて着信側画像端末１１の呼関連情報を送信すればよい。
【００９８】
その結果、本発明に係る画像通信網における呼処理装置及びその方法によれば、着信側画像端末と発信側画像端末との間に呼連結をするにあたり、着信側画像端末にリング信号が発生したときに、発信者の動画または停止画像を撮影し、この撮影された発信者の動画または停止画像のデータをリアルタイムに着信側画像端末に送信して表示させることによって、着信者は表示された発信者の動画または停止画像を見て実際の通話発信者を容易に把握することができ、これに基づいて呼連結するか否かを選択的に行うことができる。
【図面の簡単な説明】
【００９９】
【図１】従来技術に係る画像端末におけるＩＤ表示方法の動作フローチャートである。
【図２】従来技術に係る画像端末における発信者画像提供方法の動作フローチャートである。
【図３】本発明に係る画像通信網の連結構成を概略的に示す図である。
【図４】本発明に係る画像端末の内部構成を示すブロック図である。
【図５】本発明に係る画像通信網における呼処理方法の動作フローチャートである。
【図６】図５に示された呼設定メッセージ及び呼進行メッセージのフォーマット構成を示す図である。
【符号の説明】
【０１００】
１０、１１  画像端末
２０  サーバ
１００  送受信部
１１０  ＣＰＵ
１２０  画像処理部
１３０  表示部
１４０  カメラ
１５０  音声処理部
１６０  音声入出力部
１７０  キー入力部
【図１】
2006074772.tif 000003
【図２】
2006074772.tif 000004
【図３】
2006074772.tif 000005
【図４】
2006074772.tif 000006
【図５】
2006074772.tif 000007
【図６】
2006074772.tif 000008